(57)【要約】【課題】玉が残存する発射待機位置に、次の玉が供給されることに伴なうトラブルの発生を防止できるようにする。【解決手段】上方から導入される玉を一列に下方へ誘導する誘導経路２６と、発射待機位置１４に玉を排出する排出口２８と、誘導経路と排出口との間に配設された玉送り部材３２とを備え、前記玉送り部材が、前記誘導経路から先頭の玉Ｂ−１を玉受部３８に受け入れる玉受位置と、受け入れた玉を玉受部に連続する繰出面４０の先端４０Ａから前記排出口に繰り出す繰出位置との間の回動を繰り返し、前記発射待機位置に順次玉を供給する遊技機の玉供給装置１８において、前記排出口の上端に、発射待機位置側から誘導径路側に向かって上方に傾斜したガイド面５０を有するガイド壁５２を形成した。【選択図】図１３
2007229257.tif 000002
【特許請求の範囲】
【請求項１】
上方から導入される玉を一列に下方へ誘導する誘導経路と、発射待機位置に玉を排出する排出口と、誘導経路と排出口との間に配設された玉送り部材とを備えていると共に、
前記玉送り部材が、前記誘導経路から先頭の玉を玉受部に受け入れる玉受位置と、受け入れた玉を玉受部に連続する繰出面の先端から前記排出口に繰り出す繰出位置との間の回動を繰り返し、前記発射待機位置に順次玉を供給する遊技機の玉供給装置において、
前記排出口の上端に、発射待機位置側から誘導径路側に向かって上方に傾斜したガイド面を有するガイド壁を形成したことを特徴とする遊技機の玉供給装置。
【請求項２】
前記繰出面の先端が、発射待機位置に残存している待機玉に当接している次の玉と接触する下側接点より発射待機位置側に位置し、
前記ガイド面の下端が、玉送り部材が繰出位置から回動を開始することにより、前記繰出面に押されて上昇する次の玉が接触する上側接点より発射待機位置側に位置することを特徴とする請求項１に記載の遊技機の玉供給装置。
【発明の詳細な説明】
【技術分野】
【０００１】
本発明は、遊技機の発射待機位置に玉を順次供給するための遊技機の玉供給装置に関する。
【背景技術】
【０００２】
一般に、遊技機では、遊技盤の下方に配設されている発射装置により、玉を発射レールに沿って遊技盤上に発射させることが行なわれている。
【０００３】
図１は、従来の発射装置の全体を示す斜視図である。図中符号１０は、図示しない遊技盤の下方位置に固定されるベースプレートであり、このベースプレート１０には、発射レールの後端部を構成するレールベース１２がねじ止めされている。
【０００４】
このレールベース１２には、発射待機位置１４を構成する後端レール１６が取り付けられ、該レールベース１２に付設されている玉供給装置１８から、該発射待機位置１４に玉が順次供給される。
【０００５】
後端レール１６上の発射待機位置１４に供給され、待機している玉（以下、待機玉ともいう）は、モータ２０の回転がばね（図示せず）の間欠的な付勢力に変換されることにより、発射動作を繰り返す打撃槌２２によって打撃され、遊技盤面に発射されるようになっている。
【０００６】
玉供給装置１８は、図２にレールベース１２と共に発射方向前端部を切断した状態の斜視図に示すように、上部に形成された導入口２４から導入された玉を一列に下方へ誘導する誘導経路２６が形成され、その下流側の発射待機位置１４に面している位置には、玉を該発射待機位置１４に供給するための排出口２８が形成された経路ケース３０を有している。そして、この経路ケース３０内の誘導経路２６と排出口２８の間には、玉を１つずつ供給するための玉送り部材３２が配設されている。
【０００７】
この玉送り部材３２は、ベースプレート１０に平行な回動軸３４を中心に、該ベースプレート１０（レール形成面）に直交する方向に回動し、発射待機位置１４に対して接離する往復の回動動作が可能になっていると共に、図２に示される位置で誘導経路の下端の先頭玉Ｂ−１を支持する支持部３６と、該支持部３６が発射待機位置１４から離れる方向に回動し、図３に示される位置になると落下する先頭玉Ｂ−１を受け入れる凹面状の玉受部３８と、これに連続する繰出面（後述する）とを有している。
【０００８】
この玉供給装置１８による玉供給（繰り出し）動作を、図４〜図８をも参照して説明する。
【０００９】
図４は、玉送り部材３２が支持部３６で先頭玉Ｂ−１を支持している図２を発射方向から見た正面図であり、該玉送り部材３２は支持部３６が発射待機位置１４から離れる方向に回動して図３に対応する図５の状態になると、支持されていた先頭玉Ｂ−１は玉受部３８上に落下し受け入れられる。この回動動作は、前記打撃槌２２による発射動作に同期するリンク機構（図示せず）により実行され、この玉の受入直後には、図４、図５に示した待機玉Ｂ−０は発射され、発射待機位置１４は空いた状態になる。
【００１０】
次いで、玉送り部材３２は、図６〜図８に示すように、支持部３６を発射待機位置１４に接近する方向に回動することにより、玉受部３８に受け入れられた先頭玉Ｂ−１を、図８に示すように下方に傾斜した、該玉受部３８に連続する繰出面４０の先端から繰り出し、排出口２８を介して空いている発射待機位置１４に供給することにより、次の先頭玉Ｂ−２を支持部３６により支持した図４に相当する状態になる。
【００１１】
以上のように、玉送り部材３２が図４の繰出位置と図５の受入位置との間の回動を繰り返すことにより、発射待機位置１４に１つずつ玉が繰り出されることになり、繰り出された玉は順次遊技盤に発射する遊技動作が実行される。この種の玉供給装置を備えた遊技機としては、例えば特許文献１に開示されている。
【００１２】
【特許文献１】特開平４−３８８５９号公報
【発明の開示】
【発明が解決しようとする課題】
【００１３】
しかしながら、前記従来の玉供給装置には、例えば一旦は打撃槌２２によって打ち出された、いわゆるファール玉や、ファール玉に衝突して戻された次の玉や、発射力が弱いためにファール玉回収口まで届かなかった玉が発射待機位置１４に戻ってきている等により、本来存在しない筈の待機玉が発射待機位置１４に存在する場合には、玉供給装置１８の玉送り部材３２等の可動部が機械的にロックしてしまったり、複数の玉が発射待機位置１４に繰り出されてしまったりする等の問題があった。
【００１４】
この可動部の機械的ロックについて具体的に説明すると、本来発射待機位置１４は空きになっていなければならないにもかかわらず、図９に示すように、待機玉Ｂ−０が残存しているところへ、次の先頭玉Ｂ−１を供給しようとしても、該玉Ｂ−１は待機玉Ｂ−０に当接する位置まで移動して停止することになる。
【００１５】
その後、玉Ｂ−１が停止しているにもかかわらず、図１０に示すように玉送り部材３２が玉受位置に向って、図中時計回りに回動を開始すると、図１１のように玉Ｂ−１はやや持ち上げられた後、図１２に示すようにレールベース１２の下縁部１２Ａや、排出口２８の上端に当たる経路ケース３０の下縁部３０Ａと、繰出面４０の先端４０Ａとの間に挟まれた状態となり、玉送り部材３２の回動はロック状態になって停止する。
【００１６】
又、ファール玉が戻りきらないうちに次の玉が発射待機位置１４へ繰り出され、該待機位置１４においてこれらの玉が発射方向に直列状態になることもある。この場合は、複数の玉が打撃槌２２によって同時に発射されることになるため、発射力が不足してファール玉となり、玉皿へ戻されたり、あるいはファール玉回収口まで到達せず、玉が３個、４個と更に溜まっていき、結果として玉送り部材２６のロック状態を引き起こしたりすることになる。
【００１７】
本発明は、前記従来の問題点を解決するべくなされたもので、待機玉が残存する発射待機位置に、次の玉が供給されることに伴うトラブルの発生を防止することができる遊技機の玉供給装置を提供することを課題とする。
【課題を解決するための手段】
【００１８】
本発明は、上方から導入される玉を一列に下方へ誘導する誘導経路と、発射待機位置に玉を排出する排出口と、誘導経路と排出口との間に配設された玉送り部材とを備えていると共に、前記玉送り部材が、前記誘導経路から先頭の玉を玉受部に受け入れる玉受位置と、受け入れた玉を玉受部に連続する繰出面の先端から前記排出口に繰り出す繰出位置との間の回動を繰り返し、前記発射待機位置に順次玉を供給する遊技機の玉供給装置において、前記排出口の上端に、発射待機位置側から誘導径路側に向かって上方に傾斜したガイド面を有するガイド壁を形成したことにより、前記課題を解決したものである。
【００１９】
本発明は、又、前記繰出面の先端が、発射待機位置に残存している待機玉に当接している次の玉と接触する下側接点より発射待機位置側に位置し、前記ガイド面の下端が、玉送り部材が繰出位置から回動を開始することにより、前記繰出面に押されて上昇する次の玉が接触する上側接点より発射待機位置側に位置するようにしてもよい。
【発明の効果】
【００２０】
本発明によれば、玉送り部材が繰出位置へ回動することにより、繰出面の先端から繰り出された玉を発射待機位置へ供給する際に通過させる排出口の上端に、発射待機位置側から誘導経路側に向かって上方に傾斜するガイド面を有するガイド壁を形成するようにしたので、発射待機位置に待機玉が残存しているために、繰り出された玉が待機玉に当接して停止した場合には、該玉送り部材が逆方向の回動を開始して繰出面が上昇することにより、停止されていた玉を持ち上げると同時に、ガイド面により誘導経路側へ案内することができるため、受入時の状態に戻すことができる。
【００２１】
従って、発射エラー等により発射待機位置に待機玉が残存していたとしても、該待機玉を打撃槌により発射させた後に、該発射待機位置に先頭玉を供給することが可能となり、待機玉の残存に伴うトラブルの発生を確実に防止することができる。
【発明を実施するための最良の形態】
【００２２】
以下、図面を参照して、本発明の実施の形態について詳細に説明する。
【００２３】
図１３は、本発明に係る一実施形態の玉発射装置の要部を示す、前記図４に相当する玉発射装置の横断面を拡大した部分断面図である。
【００２４】
本実施形態の玉供給装置１８は、基本的な構成は、前記図１〜図１２等を用いて説明した従来のものと同一であるので、同一部分については同一の符号を使用し、詳細な説明は省略する。
【００２５】
本実施形態においては、レールベース１２に取り付けられている後端レール１６上の発射待機位置１４に、玉送り部材３２の回動動作により先頭の玉Ｂ−１を繰り出し、供給する際に通過させる排出口２８の上端に、発射待機位置１４側から誘導経路２６側に向かって上方に傾斜したガイド面５０を有するガイド壁５２が形成されている。
【００２６】
この玉供給装置について詳述すると、凹面状の玉受部３８に連続する略平坦な繰出面４０の先端４０Ａは、玉送り部材３２が繰出位置から玉受位置に向って回動を開始する時に発射待機位置１４に残存している待機玉Ｂ−０に当接し停止している次の玉Ｂ−１を接触・支持する下側接点４０Ｂより発射待機位置１４側に位置するように設計されている。これにより、同図の状態から玉送り部材３２が回動を開始すると、次の玉Ｂ−１を確実に上方に持ち上げることができる。
【００２７】
又、図１４に回動軸３０の軸方向から見た玉送り部材３２とガイド壁５２の関係を拡大して模式的に示すように、前記ガイド面５０の下端部５０Ａは、このような玉送り部材３２が図１３の繰出位置から玉受位置方向への回動により、前記繰出面４０に押されて上昇する次の玉Ｂ−１が接触する上側接点５０Ｂより発射待機位置１４側に位置するように設計されている。
【００２８】
更に、このガイド面５０は、図１４に併せて示すように、繰出面４０に支持されて上昇された次の玉Ｂ−１が接触した際に同時に接触する下側接点４０Ｃと上側接点５０Ｂにおける、回動軸３４に直交する方向の接線Ｌ１とＬ２とが成す角度αが０°より大きくなる傾斜で、且つ十分な長さに設計されている。即ち、繰出面４０の上昇時に下側接点４０Ｃに作用する玉Ｂ−１に対する上向きの力と、上側接点５０Ｂに作用する中心方向の反力との合力により、該玉Ｂ−１が図中矢印で示す右上方向の誘導経路２６側へ移動し、案内されるようになっている。このガイド面５０の具体的な長さや、角度αは、実験により適切に設定することができる。
【００２９】
なお、特開平７−２０４３２３号公報の図９等には、斜め方向の単なる切断面が開示されているが、ガイド面を意図したものでないため、本実施形態のようなガイド機能は期待できない。
【００３０】
以上の構成からなる本実施形態においては、前記図１３に対応する図１５の繰出位置から玉送り部材３２が玉受位置の方向へ回動を開始すると、残存していた待機玉Ｂ−０に当接していた次の玉Ｂ−１は、繰出面４０により持ち上げられ、図１６に示すようにガイド面５０に接触し、図１７のように同方向の回動に伴って該ガイド面５０により誘導経路２６の方向に案内されるため、図１８の玉受位置に達すると経路ケース３０内に後退し、玉受部３８に受け入れられた正常な玉受け状態に戻ることができる。
【００３１】
以上詳述した本実施形態によれば、発射待機位置１４に待機玉Ｂ−０が残存していたとしても、次の玉Ｂ−１は機械的にロックされることなく、該待機玉Ｂ−０が確実に発射されるまで、次の玉Ｂ−１を保留することができる。従って、何らかの理由により発射待機位置に玉が残存している状態になったときに発生する、機械的停止（ロック）やファール玉の連続等のトラブルの発生を確実に防ぐことができる。
【００３２】
なお、前記実施形態では、ガイド壁５２を経路ケース３０に直接形成する場合を示したが、これに限定されずレールベース１２側に直結する構造にしても良く、場合によってはガイド壁に相当する専用部品を別に設けるようにしても良い。
【００３３】
又、ガイド壁５２が有するガイド面５０は、前記実施形態に示した直線状に限らず、上方に凸の円弧形状に形成しても良い。
【図面の簡単な説明】
【００３４】
【図１】従来の玉発射装置の全体を示す斜視図
【図２】玉送り部材が繰出位置にある玉供給装置を示す斜視図
【図３】玉送り部材が玉受位置にある玉供給装置を示す斜視図
【図４】図２を発射方向から見た断面図
【図５】図３を発射方向から見た断面図
【図６】玉送り部材が繰出位置へ回動している状態を示す断面図
【図７】玉送り部材が繰出位置へ回動している状態を示す次の断面図
【図８】玉送り部材が繰出位置へ回動を完了した状態を示す断面図
【図９】従来の玉供給装置の問題点を説明する第１の断面図
【図１０】従来の玉供給装置の問題点を説明する第２の断面図
【図１１】従来の玉供給装置の問題点を説明する第３の断面図
【図１２】従来の玉供給装置の問題点を説明する第４の断面図
【図１３】本発明に係る１実施形態の玉供給装置の特徴を示す拡大部分断面図
【図１４】本実施形態の玉供給装置の他の特徴を示す模式図
【図１５】本実施形態の玉供給装置の作用を示す第１の断面図
【図１６】本実施形態の玉供給装置の作用を示す第２の断面図
【図１７】本実施形態の玉供給装置の作用を示す第３の断面図
【図１８】本実施形態の玉供給装置の作用を示す第４の断面図
【符号の説明】
【００３５】
Ｂ…玉
１０…ベースプレート
１２…レールベース
１４…発射待機位置
１６…後端レール
１８…球供給装置
２０…モータ
２２…打撃槌
２４…導入口
２６…誘導経路
２８…排出口
３０…経路ケース
３２…玉送り部材
３４…回動軸
３６…支持部
３８…玉受部
４０…繰出面
４０Ａ…先端
４０Ｂ、４０Ｃ…下側接点
５０…ガイド面
５０Ａ…下端
５０Ｂ…上側接点
５２…ガイド壁
【図１】
2007229257.tif 000003
【図２】
2007229257.tif 000004
【図３】
2007229257.tif 000005
【図４】
2007229257.tif 000006
【図５】
2007229257.tif 000007
【図６】
2007229257.tif 000008
【図７】
2007229257.tif 000009
【図８】
2007229257.tif 000010
【図９】
2007229257.tif 000011
【図１０】
2007229257.tif 000012
【図１１】
2007229257.tif 000013
【図１２】
2007229257.tif 000014
【図１３】
2007229257.tif 000015
【図１４】
2007229257.tif 000016
【図１５】
2007229257.tif 000017
【図１６】
2007229257.tif 000018
【図１７】
2007229257.tif 000019
【図１８】
2007229257.tif 000020